(57)【特許請求の範囲】
【請求項１】
線路側又はジャンパ線の如き線路側ラインを引込み接続する線路側端子と局内施設に接続される局内側ラインを接続する局内側端子とが形成された所定数の接続導体と、接地導体に接続される所定数の接地端子と、前記接続導体と前記接地導体間に過電圧過電流防護素子として用いられる所定数の半導体素子とを備えた通信機器用保安器であつて、
前記接続導体は、前記ラインの各回線のライン線毎に、前記線路側では前記線路側端子として該接続導体の端部に上下二重のＵスリット端子が形成され、前記局内側では前記局内側端子として該接続導体の端部に下段はＵスリット端子が形成され上段は該接続導体の中間部に半導体素子用ジャックが形成されるように一体形成されており、
前記所定数の接地端子が接地用ジャックに形成され、該接地用ジャックが前記局内側で前記半導体素子用ジャックと所要間隔で並置された状態で該接地端子と前記接続導体とを相互に絶縁するように収容するための前記線路側の第一筐体と前記局内側の第二筐体とが相互結合されており、
前記局内側の第二筐体には、前記所定数の半導体素子の各端子が前記半導体素子用ジャックと前記接地用ジャックとに挿入された状態で該前記所定数の半導体素子をそれぞれ収容する所定数の収容孔が設けられている
通信機器用保安器。
【請求項２】
前記接続導体は、細長い短冊型をなし両端部に前記上下二重のＵスリット端子の下方と前記下段のＵスリット端子とが、それぞれ形成された第一の接続導体片と、一端部に前記上下二重のＵスリット端子の上方が形成され他端部に前記半導体素子用ジャックが形成された第二の接続導体片と、前記第一の接続導体片と前記第二の接続導体片とを相連結する連結導体とを、平板材料からの打ち抜き成形により一体形成されていることを特徴とする請求項１に記載の通信機器用保安器。
【請求項３】
前記所定数の局内側端子には示名条片が設けられ、該示名条片は前記所定数の半導体素子をそれぞれ前記所定数の収容孔に収容した状態で脱落を防止する機能
をも兼ねさせるように形成し取付けられていることを特徴とする請求項１に記載の通信機器用保安器。
【発明の詳細な説明】
【０００１】
【発明の技術分野】
本発明は、通信回線に誘導あるいは混蝕等によって侵入してくる過電圧・過電流が通信機器に流入するのを防止し、かつ通信回線の線路又はその線路に接続されるジャンパ線側の成端処理と局内施設への出力端子接続処理を能率的に行う通信機器用保安器に関するものである。
【０００２】
【従来の技術】
図７は従来の通信機器用保安器とサブモジュールの組立平面図である。図において、１はプリント配線板、２は外線入力端子として用いられるＵスリット形端子であり、プリント配線板１に半田付けされ、ジャンパ線により外線側へのジャンパ通線ユニット５を通して接続されるものである。３，８はフレーム、４は通信機側へ接続されるコネクタ、６は保安素子として用いられる半導体素子、７は試験弾器ユニットである。
【０００３】
このように従来の通信機器用保安器は、複数個の半導体素子をプリント配線板に半田付けにより取付けており、プリント配線板当たり例えば８回線を単位とする構成をとっている。
【０００４】
【発明が解決しようとする課題】
しかし、通信回線を保安器に収容して使用中に、そのうちの１回線にでも保安器素子が保有している機能規格以上の過電圧・過電流が侵入して来たときには、保安器素子の破壊によりショ−トモ−ドとなって通信機器は保護されるが、保安器素子そのものは自然復旧能力がなく、回線障害の状態と成る。
従って、破壊された保安器素子を取り替える必要が生じ、１個の保安器素子の取替えであってもプリント配線板単位で取替えなければならないため、同配線板に収容されている良好な他回線にも支障を及ぼし、かつ取替えのためにはユ−ザ−の了解や配線の付け替え等の煩雑な作業が必要となる。
【０００５】
本発明の目的は、保安器を各素子単位で挿し抜き可能な形式にすることによって、取替えを簡単にして作業性を格段に向上させ、かつプリント配線板を使用しない構成により、経済性を高めるとともに配線回路における電流耐量及び伝送特性（対地間静電容量等）の向上を図った通信機器用保安器を提供することにある。
【０００６】
【課題を解決するための手段】
この目的を達成するために、本発明の通信機器用保安器は、線路側又はジャンパ線の如き線路側ラインを引込み接続する線路側端子と局内施設に接続される局内側ラインを接続する局内側端子とが形成された所定数の接続導体と、接地導体に接続される所定数の接地端子と、前記接続導体と前記接地導体間に過電圧過電流防護素子として用いられる所定数の半導体素子とを備えた通信機器用保安器であつて、
前記接続導体は、前記ラインの各回線のライン線毎に、前記線路側では前記線路側端子として該接続導体の端部に上下二重のＵスリット端子が形成され、前記局内側では前記局内側端子として該接続導体の端部に下段はＵスリット端子が形成され上段は該接続導体の中間部に半導体素子用ジャックが形成されるように一体形成されており、
前記所定数の接地端子が接地用ジャックに形成され、該接地用ジャックが前記局内側で前記半導体素子用ジャックと所要間隔で並置された状態で該接地端子と前記接続導体とを相互に絶縁するように収容するための前記線路側の第一筐体と前記局内側の第二筐体とが相互結合されており、
前記局内側の第二筐体には、前記所定数の半導体素子の各端子が前記半導体素子用ジャックと前記接地用ジャックとに挿入された状態で該前記所定数の半導体素子をそれぞれ収容する所定数の収容孔が設けられた構成を有している。
【０００７】
前記接続導体は、細長い短冊型をなし両端部に前記上下二重のＵスリット端子の下方と前記下段のＵスリット端子とがそれぞれ形成された第一の接続導体片と、一端部に前記上下二重のＵスリット端子の上方が形成され他端部に前記半導体素子用ジャックが形成された第二の接続導体片と、前記第一の接続導体片と前記第二の接続導体片とを相連結する連結導体とを、平板材料からの打ち抜き成形により一体形成することができる。
前記所定数の局内側端子には示名条片が設けられ、該示名条片は前記所定数の半導体素子をそれぞれ前記所定数の収容孔に収容した状態で脱落を防止する機能をも兼ねさせるように形成することができる。
【０００８】
【発明の実施の形態】
本発明に係る通信機器用保安器では、線路又はその線路に接続されるジャンパ線が線路側端子に収容される。局内側端子には、交換機等の局内施設への局内側ラインが収容される。端子にはＵスリット端子を用いたので、収容又は取外し作業には半田処理が全く不要である。半導体素子は個別に差込み差し換えができるので、落雷による障害時における半導体素子の取換えには、他回線へ瞬断等の障害の恐れは全くない。
【０００９】
【実施例】
以下本発明の実施例について説明する。
図１は本発明による通信機器用保安器１００の実施例を示す斜視図であり、線路側端子２３を有する第一筐体２１と、局内側端子２４を有する第二筐体２２とが相互結合された状態を示している。２５は線路側示名条片、２６は局内側示名条片である。３０は半導体保安素子である。
【００１０】
図２は、局内側示名条片２６を局内側端子２４から取外した状態を示している。２７は図示しない取付架にこの通信機器用保安器１００を取付けるための取付部であり、取付け孔２８にねじ２９を通して取付けられ、接地接続も行われる。半導体保安器３０は、取外した状態で示されているように、後述のジャック部に挿入接続されるピン端子を有している。
【００１１】
図３は、本発明による通信機器用保安器１００の構成例を示すもので、（ａ）は平面図、（ｂ）は正面図、（ｃ）は背面図、（ｄ）は左側面図、（ｅ）は右側面図である。（ｃ）から理解されるように、二個の回路で１回線を形成し、合計８回線を収容する場合を示している。右側面図（ｅ）で点線で示すように後述の接続導体３１が収容されている。
【００１２】
図４は、本発明による通信機器用保安器１００の内部構成の一部開放表示を含む斜視図であり、図５は、この通信機器用保安器１００内に収納取付けされている接続導体３１（ａ）、接触導体３２（ｂ）及び半導体保安素子３０（ｃ）である。本発明の通信機器用保安器１００は、  線路又はジャンパ線の如き線路側ラインを引込み接続する所定数の線路側端子２３と、局内施設に接続される局内側ラインを引込み接続する所定数の局内側端子２４と、接地導体３２−２に接続される所定数の接地端子３２−１と、前記線路側端子と前記局内側端子との間に接続される所定数の接続導体３１と、該接続導体と前記接地導体間に過電圧過電流防護素子として用いられる所定数の半導体素子３０とを備えている。
【００１３】
接続導体３１は、図３（ｃ）に示されている局内側ライン，線路側ラインの各回線（０，１，２，．．．７）のライン線（図ではＡ又はＢ）毎に、図５（ａ）に示すように、線路側では線路側端子２３として接続導体（第一の外線側端子３１−１−１，第二の外線側端子３１−２−１）の端部に上下二重のＵスリット端子（Ｕ１ａ１，Ｕ１ａ２）が形成され、前記局内側では局内側端子２４として該接続導体の端部に下段（第一の内線側端子３１−１−２）はＵスリット端子Ｕ２ａが形成され上段（第二の内線側端子３１−２−２）は該接続導体の中間部に半導体素子用ジャック（Ｊａ１）が形成されるように一体形成されている。
すなわち、前記接続導体３１は、細長い短冊型をなし両端部に前記Ｕスリット端子（Ｕ１ａ２，Ｕ２ａ）が形成された第一の接続導体片３１−１と、一端部に前記Ｕスリット端子（Ｕ１ａ１）が形成され他端部に前記半導体素子用ジャック（Ｊａ１）が形成された第二の接続導体片３１−２と、第一の接続導体片と第二の接続導体片とを相連結する第一，第二の連結導体３１−３−１，３１−３−２とを、例えば、平板材料からの打ち抜き成形により一体形成することができる。
【００１４】
図５（ｂ）に示すように、前記所定数（図では、２個×８回線分の計１６個）の接地端子３２−１が接地用ジャック（Ｊａ２）に形成されて、接地導体基部３２−２に共通接続され、接地部３２−３で接地される構造である。接地用ジャック（Ｊａ２）が、図４に示すように、前記局内側で前記半導体素子用ジャック（Ｊａ１）と所要間隔で並置された状態で該接地端子と前記接続導体とを相互に絶縁するように収容するための前記線路側の第一筐体２１と前記局内側の第二筐体２２とが相互結合されている。
前記局内側の第二筐体２２には、前記所定数の半導体素子３０の各端子が前記半導体素子用ジャック（Ｊａ１）と前記接地用ジャック（Ｊａ２）とに挿入された状態で該前記所定数の半導体素子３０をそれぞれ収容するように隔壁３３−２で区分された所定数の収容孔（第一の内線側端子収容孔３３−１，第二の内線側端子収容孔３３−３，接地ジャック収容孔３３−４）が設けられている。
【００１５】
図６は、本発明による通信機器用保安器を実用した場合の接続状態を示す回路図であり、Ｌ１ａ，Ｌ１ｂは線路側ライン、Ｓ１ａ，Ｓ１ｂは切り分け端子、Ｊ１ａ，Ｊ１ｂはジャンパ線、Ｕ１ａ１，Ｕ１ｂ１，Ｕ２ａ，Ｕ２ｂ，Ｕ３ａ，Ｕ３ｂ，Ｕ４ａ，Ｕ４ｂはＵスリット端子、Ｊａ１，Ｊａ２，Ｊｂ１，Ｊｂ２は半導体保安器用ジャック、ＡＲＲ１ａ，ＡＲＲ１ｂは半導体保安器、Ｃ１ａ，Ｃ１ｂは局内側ライン、Ｇは接地である。ＭＤＦは本配線盤を形成しており、本発明による通信機器用保安器１００は（ａ）に示す配置関係で使用される。（ｂ）は、本発明に係わる通信機器用保安器１００の部分のみを分かり易く示したものである。
【００１６】
【発明の効果】
以上詳細に説明したように、本発明の通信機器用保安器は、前記の構成により、次の如き効果を得ることができる。
（１）保安器の素子を１回線単位で挿し抜きが可能となったので、保安器素子が故障しても、取替え時に他の回線に支障を与えることが無くなった。  特に、最近は高速デジタル回線が増加しているため、取り替え時に回線が一時中断する旨の了解をユ−ザから得ることが困難である場合があるが、そのような折衝手続の必要が無くなる。
（２）従来製品のサブモジュ−ル単位で取り替えるときにはジャンパ配線及びケ−ブルコネクタの取外しと取替え後の配線取付け・確認試験等の作業が無くなり、回線によっては従来必要であった深夜作業の実施の必要性が無くなる。
（３）プリント配線板を用いるときには回路のパタ−ン設計で電流耐量・伝送特性（対地間静電容量等）を考慮する必要があったが、その必要が無くなった。
従って、取替え時間の短縮と作業性の向上が得られ、その経済的効果は極めて大である。
【図面の簡単な説明】
【図１】本発明による通信機器用保安器の構成例を示す斜視図である。
【図２】本発明による通信機器用保安器の構成例を示す斜視図である。
【図３】本発明による通信機器用保安器の構成例を示す平面図（ａ），正面図（ｂ），背面図（ｃ），左側面図（ｄ），右側面図（ｅ）である。
【図４】本発明による通信機器用保安器の内部構成の一部開放表示を含む斜視図である。
【図５】本発明に用いる接続導体素子（ａ），接地導体素子（ｂ），半導体保安素子（ｃ）の各例を示す斜視図である。
【図６】本発明による通信機器用保安器の使用状態を説明するための回路図である。
【図７】従来の通信機器用保安器の１例を示す平面図である。
【符号の説明】
１  プリント配線板
２  Ｕスリット端子
３  フレーム
４  コネクタ
５  ジャンパ通線ユニット
６  半導体素子
７  試験弾器ユニット
８  フレーム
２１  第一筐体
２２  第二筐体
２３  線路側端子
２４  局内側端子
２５  線路側示名条片
２６  局内側示名条片
２７  取付け部
２８  取付け孔
２９  取付けねじ
３０  半導体保安素子
３１  接続導体
３１−１  第一の接続導体片
３１−１−１  第一の外線側端子
３１−１−２  第一の内線側端子
３１−２  第二の接続導体片
３１−２−１  第二の外線側端子
３１−２−２  第二の内線側端子
３１−３−１  第一の連結導体
３１−３−２  第二の連結導体
３２  接地導体
３２−１  接地ジャック
３２−２  接地導体基部
３２−３  接地部
３３−１  第一の内線側端子収容孔
３３−２  隔壁
３３−３  第二の内線側端子収容孔
３３−４  接地ジャック収容孔
１００  本発明の保安器
Ｌ１ａ，Ｌ１ｂ  外線側ライン
Ｓ１ａ，Ｓ１ｂ  切り分け端子
Ｊ１ａ，Ｊ１ｂ  ジャンパ線
Ｕ１ａ１，Ｕ１ａ２，Ｕ１ｂ１，Ｕ１ｂ２，Ｕ２ａ，Ｕ２ｂ，Ｕ３ａ，Ｕ３ｂ，Ｕ４ａ，Ｕ４ｂ  Ｕスリット端子
Ｊａ１，Ｊａ２，Ｊｂ１，Ｊｂ２  半導体保安器用ジャック
ＡＲＲ１ａ，ＡＲＲ１ｂ  半導体保安器
Ｃ１ａ，Ｃ１ｂ  局内側ライン
Ｇ  接地
ＭＤＦ  本配線盤
【図１】
0003623595.tif 000002
【図２】
0003623595.tif 000003
【図３】
0003623595.tif 000004
【図４】
0003623595.tif 000005
【図５】
0003623595.tif 000006
【図６】
0003623595.tif 000007
【図７】
0003623595.tif 000008